(57)【要約】【課題】携帯電話を無くした場合、持ち主の意志で、携帯電話のデータを消去できるようにする。【解決手段】携帯電話網１の電話網交換機２に接続された制御機３は、一般公衆回線網４の電話機から起動されると、前記電話機から続いて送信された対象の携帯電話機６の電話番号および携帯電話機に登録した暗証番号が正しい場合は、携帯電話機６を呼び出し信号により呼び出し、呼び出し信号に含まれる消去信号７により携帯電話機６の登録メモリを消去する。【選択図】　　　図１
2004112436.tif 000002
【特許請求の範囲】
【請求項１】
携帯電話の登録メモリ消去方法において、第１の電話網の電話網交換機に接続された制御機を第２の電話網の電話機から起動すると、前記制御機は前記電話機から続いて送信された対象の携帯電話機の電話番号および前記携帯電話機に登録した暗証番号が正しい場合は、前記携帯電話機を呼び出し信号により呼び出し前記呼び出し信号により前記携帯電話機の登録メモリを消去することを特徴とする携帯電話の登録メモリ消去方法。
【請求項２】
前記制御機は予め用意された専用電話番号を付与されていることを特徴とする請求項１記載の携帯電話の登録メモリ消去方法。
【請求項３】
前記携帯電話機は、前記呼び出し信号に予め定められた消去信号が含まれている場合に前記携帯電話機の登録メモリを消去することを特徴とする請求項１記載の携帯電話の登録メモリ消去方法。
【請求項４】
前記携帯電話機は、前記呼び出し信号に前記消去信号が含まれていた場合は着信音を鳴らさないことを特徴とする請求項３記載の携帯電話の登録メモリ消去方法。
【請求項５】
前記制御機から前記消去信号を含む前記呼び出し信号を送信し、一定時間待っても前記携帯電話機から予め決められた折返信号が返信されない場合、前記制御機は前記携帯電話機が圏外または電源断と判断し、前記携帯電話機の位置登録信号を予め定められた時間待ち、前記位置登録信号が上がってきた際に再度前記携帯電話機に前記消去信号を含む前記呼び出し信号を送信することを特徴とする請求項３記載の携帯電話の登録メモリ消去方法。
【請求項６】
前記第１の電話網が携帯電話網であって、前記第２の電話網が一般公衆回線網であることを特徴とする請求項１記載の携帯電話の登録メモリ消去方法。
【請求項７】
携帯電話の登録メモリ消去方式において、第１の電話網を介して電話機から起動され、起動後に前記電話機から続いて送信された対象の携帯電話機の電話番号および前記携帯電話機に登録した暗証番号が正しい場合は、前記携帯電話機を呼び出し信号により呼び出し前記呼び出し信号により前記携帯電話機の登録メモリを消去する第２の電話網の電話網交換機に接続された制御機を含んで構成されることを特徴とする携帯電話の登録メモリ消去方式。
【請求項８】
前記制御機は予め用意された専用電話番号を付与されていることを特徴とする請求項７記載の携帯電話の登録メモリ消去方式。
【請求項９】
前記携帯電話機は、前記呼び出し信号に予め定められた消去信号が含まれている場合に前記携帯電話機の登録メモリを消去することを特徴とする請求項７記載の携帯電話の登録メモリ消去方式。
【請求項１０】
前記携帯電話機は、前記呼び出し信号に前記消去信号が含まれていた場合は着信音を鳴らさないことを特徴とする請求項９記載の携帯電話の登録メモリ消去方式。
【請求項１１】
前記制御機から前記消去信号を含む前記呼び出し信号を送信し、一定時間待っても前記携帯電話機から予め決められた折返信号が返信されない場合、前記制御機は前記携帯電話機が圏外または電源断と判断し、前記携帯電話機の位置登録信号を予め定められた時間待ち、前記位置登録信号が上がってきた際に再度前記携帯電話機に前記消去信号を含む前記呼び出し信号を送信することを特徴とする請求項９記載の携帯電話の登録メモリ消去方式。
【請求項１２】
前記第１の電話網が一般公衆回線網であって、前記第２の電話網が携帯電話網であることを特徴とする請求項７記載の携帯電話の登録メモリ消去方式。
【発明の詳細な説明】
【０００１】
【発明の属する技術分野】
本発明は携帯電話の登録メモリ消去方法及び携帯電話の登録メモリ消去方式に関し、特に持ち主の意志で、携帯電話のデータを消去できる携帯電話の登録メモリ消去方法及び携帯電話の登録メモリ消去方式に関する。
【０００２】
【従来の技術】
従来は、携帯電話を無くした場合、拾った人に登録メモリの内容を悪用されたり、いたずら電話等の迷惑行為に使用されることを防止するため、入力されたパスワードが予め設定された回数誤っていれば、記憶装置内や、着脱式メモリカード内のアプリケーションを自動的に消去する方法を採っていた（例えば、特許文献１参照）。
【０００３】
【特許文献１】
特開２００１−１１７６６１号公報（要約）
【０００４】
【発明が解決しようとする課題】
上述した従来方法は、以下のような問題があった。
【０００５】
１．パスワードの入力の回数制限を設けているため、持ち主であっても、パスワードを忘れた場合、データを消去してしまう可能性がある。
【０００６】
２．携帯電話を盗まれた場合、パスワードのみのセキュリティーため、持ち主の意志に関係なく、情報を消されてしまう可能性がある。
【０００７】
３．パスワードのみのセキュリティーの為、パスワードが解ってしまった場合、情報を見ることができてしまう。
【０００８】
本発明の目的は、上記問題点を解決し、携帯電話を無くした場合、持ち主の意志で、携帯電話のデータを消去できる携帯電話の登録メモリ消去方法及び携帯電話の登録メモリ消去方式を提供することにある。
【０００９】
【課題を解決するための手段】
本願の第１の発明は、携帯電話の登録メモリ消去方法において、第１の電話網の電話網交換機に接続された制御機を第２の電話網の電話機から起動すると、前記制御機は前記電話機から続いて送信された対象の携帯電話機の電話番号および前記携帯電話機に登録した暗証番号が正しい場合は、前記携帯電話機を呼び出し信号により呼び出し前記呼び出し信号により前記携帯電話機の登録メモリを消去することを特徴とする。
【００１０】
本願の第２の発明は、第１の発明の前記制御機は予め用意された専用電話番号を付与されていることを特徴とする。
【００１１】
本願の第３の発明は、第１の発明の前記携帯電話機は、前記呼び出し信号に予め定められた消去信号が含まれている場合に前記携帯電話機の登録メモリを消去することを特徴とする。
【００１２】
本願の第４の発明は、第３の発明の前記携帯電話機は、前記呼び出し信号に前記消去信号が含まれていた場合は着信音を鳴らさないことを特徴とする。
【００１３】
本願の第５の発明は、第３の発明の前記制御機から前記消去信号を含む前記呼び出し信号を送信し、一定時間待っても前記携帯電話機から予め決められた折返信号が返信されない場合、前記制御機は前記携帯電話機が圏外または電源断と判断し、前記携帯電話機の位置登録信号を予め定められた時間待ち、前記位置登録信号が上がってきた際に再度前記携帯電話機に前記消去信号を含む前記呼び出し信号を送信することを特徴とする。
【００１４】
本願の第６の発明は、第１の発明の前記第１の電話網が携帯電話網であって、前記第２の電話網が一般公衆回線網であることを特徴とする。
【００１５】
本願の第７の発明は、携帯電話の登録メモリ消去方式において、第１の電話網を介して電話機から起動され、起動後に前記電話機から続いて送信された対象の携帯電話機の電話番号および前記携帯電話機に登録した暗証番号が正しい場合は、前記携帯電話機を呼び出し信号により呼び出し前記呼び出し信号により前記携帯電話機の登録メモリを消去する第２の電話網の電話網交換機に接続された制御機を含んで構成されることを特徴とする。
【００１６】
本願の第８の発明は、第７の発明の前記制御機は予め用意された専用電話番号を付与されていることを特徴とする。
【００１７】
本願の第９の発明は、第７の発明の前記携帯電話機は、前記呼び出し信号に予め定められた消去信号が含まれている場合に前記携帯電話機の登録メモリを消去することを特徴とする。
【００１８】
本願の第１０の発明は、第９の発明の前記携帯電話機は、前記呼び出し信号に前記消去信号が含まれていた場合は着信音を鳴らさないことを特徴とする。
【００１９】
本願の第１１の発明は、第９の発明の前記制御機から前記消去信号を含む前記呼び出し信号を送信し、一定時間待っても前記携帯電話機から予め決められた折返信号が返信されない場合、前記制御機は前記携帯電話機が圏外または電源断と判断し、前記携帯電話機の位置登録信号を予め定められた時間待ち、前記位置登録信号が上がってきた際に再度前記携帯電話機に前記消去信号を含む前記呼び出し信号を送信することを特徴とする。
【００２０】
本願の第１２の発明は、第７の発明の前記第１の電話網が一般公衆回線網であって、前記第２の電話網が携帯電話網であることを特徴とする。
【００２１】
【発明の実施の形態】
次に、本発明の実施の形態について図面を参照して詳細に説明する。
【００２２】
図１は、本発明の一実施の形態をしめすシステム構成図である。
【００２３】
図１を参照すると、携帯電話網１は一般に使われている携帯電話のサービスエリア（通話エリア）を示し、携帯電話網１には、携帯電話網交換機２やビルの屋上等にある携帯電話基地局５がある。携帯電話機６は、一般に使われいる携帯電話機を示し、電源を投入した場合は定期的に位置登録信号９を送信する。制御機３からは、消去信号７を送信し、携帯電話機６からは折返信号８を送信する。一般公衆回線網４は加入電話や公衆電話等を示す。
【００２４】
次に、図２は図１における制御機３のブロック図である。
【００２５】
図２を参照すると、制御機３には処理装置１１と記憶装置１４があり、処理装置１１には、処理部１３、信号の入出力を行うインターフェース部の入出力部１２、記憶装置１４には、トーキー案内を行う音声トランク部１５や顧客情報等のデータ部１６がある。
【００２６】
次に、本発明の実施の形態の動作について図面を参照して説明する。
【００２７】
図１および図２より、携帯電話網１の携帯電話網交換機２に接続された制御機３に、一般公衆回線網４から電話（専用番号を用意）をする。専用番号による電話は、制御機３の入出力部１２を経由し、処理部１３で受信される。処理部１３では、音声トランク部１５からの音声ガイダンスを入出力部１２に出力し、紛失した対象の携帯電話機５の電話番号および携帯電話５に登録した個別の暗証番号をダイヤル（入力）で伝える。入力された携帯電話機５の電話番号と個別に設定した暗唱番号は、データ部１６の情報と照らしあわせ、間違ったデータの場合は、トーキー案内により電話を切断する。入力された情報が正しい場合は、電話番号と個別の暗証番号を受け付け、制御機３は、紛失した携帯電話機５に対して通信（電話をかける）を行い、呼び出し情報（少なくとも発信者番号、着信者番号を含む）とともに登録メモリを消去するための消去信号７を携帯電話基地局６を経由して送信する。
【００２８】
消去信号７を受信した携帯電話機５は、着信音を鳴らさないようにするとともに、携帯電話機５が携帯電話網１の中（圏内）か、携帯電話網１以外の場所（圏外）かにより、以下のように動作する。
【００２９】
（１）紛失した携帯電話機５が携帯電話網１の中（圏内）で、電源が入っている場合制御機３からの消去信号７を受信した携帯電話機５は、登録されている全てのメモリを消去し、消去された事を制御機３に対して折返信号８として送る。折返信号８を受信した制御部３の処理部１３は、音声トランク部１５のトーキーを使い、携帯電話機５の所有者（制御機３に電話をかけてきた人）に対して消去したことを伝える。
【００３０】
（２）紛失した携帯電話機５が携帯電話網１以外の場所（圏外）および携帯電話機５の電源が入っていない場合制御機３から消去信号７を送信し、一定時間待っても折返信号８が返信されない場合、制御機３は圏外または電源断と判断し、処理部１３は、音声トランク部１５のトーキーを使い、携帯電話機５の所有者（制御機３に電話をかけてきた人）に対して圏外または電源断ということを伝える。
【００３１】
また、制御機３は、対象携帯電話機５の位置登録信号９があがってくるのを２４時間まで待ち、位置登録信号９が上がってきた際に、再度消去信号７を送信する。携帯電話機５は、制御機３からの消去信号７の受信により全ての登録メモリを消去し、消去された事を制御機３に対して折返信号８として送る。紛失した対象の携帯電話機５から折返信号８を受信した制御機３の処理部１３は、消去した履歴としてデータ部１６に保存する。制御機３は、後日所有者からの問い合わせに対してトーキーにより消去したことを伝える。
【００３２】
【発明の効果】
以上説明したように、本発明は、携帯電話網の携帯電話網交換機に接続された制御機に、一般公衆回線網から電話（専用番号を用意）をし、携帯電話機の電話番号と個別に設定した暗唱番号を入力すると、制御機は、紛失した携帯電話機に対して通信（電話をかける）を行い、登録メモリを消去するための消去信号を携帯電話基地局を経由して送信し、消去信号を受信した携帯電話機は、登録されている全てのメモリを消去するようにしたことにより、以下の効果がある。
【００３３】
１．持ち主が、パスワードを忘れたためにデータを消去してしまうような事態がなくなる。
【００３４】
２．持ち主の意志に関係なく、情報を消されてしまうことがなくなる。
【００３５】
３．パスワードが第３者に知られ、メモリ内容を悪用されることがなくなる。
【図面の簡単な説明】
【図１】本発明の一実施の形態をしめすシステム構成図である。
【図２】図１における制御機３のブロック図である。
【符号の説明】
１　　携帯電話網
２　　携帯電話網交換機
３　　制御機
４　　一般公衆回線網
５　　携帯電話基地局
６　　携帯電話機
７　　消去信号
８　　折返信号
９　　位置登録信号
１１　　処理装置
１２　　入出力部
１３　　処理部
１４　　記憶装置
１５　　音声トランク部
１６　　データ部
【図１】
2004112436.tif 000003
【図２】
2004112436.tif 000004